【手続補正書】
【提出日】平成24年6月15日(2012.6.15)
【手続補正１】
【補正対象書類名】特許請求の範囲
【補正対象項目名】全文
【補正方法】変更
【補正の内容】
【特許請求の範囲】
【請求項１】
ワイヤレス通信デバイスにおいて、
制御信号に応答して、調整可能フィルタの周波数応答を確立する調整可能フィルタと、
前記ワイヤレス通信デバイス内の２次内部無線のステータスに基づいて、前記制御信号を発生させるように構成されている制御装置と
を具備するワイヤレス通信デバイス。
【請求項２】
前記周波数応答は、ストップ帯域内の周波数を有している所望でない信号を、パス帯域内の周波数を有している所望の信号より多く減衰させるためのパス帯域およびストップ帯域を含み、
前記調整可能フィルタは、前記制御信号に応答して、第１の中央周波数においてパス帯域の中心を有している第１の周波数応答と、第２の中央周波数においてパス帯域の中心を有している第２の周波数応答とのうちから周波数応答を選択する、請求項１記載のワイヤレス通信デバイス。
【請求項３】
前記第１の周波数応答は、第１の帯域幅を有し、前記第２の周波数応答は、第２の帯域幅を有する、請求項２記載のワイヤレス通信デバイス。
【請求項４】
前記調整可能フィルタは、前記制御信号に応答して、複数の領域周波数応答のうちから周波数応答を選択し、
前記複数の領域周波数応答は、
複数のチャネル帯域の第１の帯域グループを含む第１の領域パス帯域を有する第１の領域周波数応答と、
複数のチャネル帯域の第２の帯域グループを含む第２の領域パス帯域を有する第２の領域周波数応答と
を含み、前記第１の帯域グループは、前記第２の帯域グループに含まれていない少なくとも１つのチャネル帯域を含む、請求項３記載のワイヤレス通信デバイス。
【請求項５】
前記複数のチャネル帯域は、超広帯域（ＵＷＢ）通信標準規格によって規定されている、請求項４記載のワイヤレス通信デバイス。
【請求項６】
前記調整可能フィルタは、前記制御信号にさらに応答して、少なくとも１つの割り当てられたチャネル帯域を示している割り当てられた送信コードに基づいて、周波数応答を選択する、請求項４記載のワイヤレス通信デバイス。
【請求項７】
前記２次内部無線のステータスは、
オン／オフステータス、
送信ステータス、
受信ステータス、
送信周波数ステータス、
受信周波数ステータス、
変調ステータス、および、
信号電力ステータス
のうちの１つを含む、請求項１記載のワイヤレス通信デバイス。
【請求項８】
前記調整可能フィルタは、前記制御信号にさらに応答して、検出された干渉に基づいて周波数応答を選択する、請求項１記載のワイヤレス通信デバイス。
【請求項９】
前記調整可能フィルタは、
調整可能受信帯域フィルタ、または、
調整可能受信帯域フィルタ
のうちの１つを含む、請求項１記載のワイヤレス通信デバイス。
【請求項１０】
制御信号で、ワイヤレス通信デバイス中の調整可能フィルタの周波数応答を確立することと、
制御装置で、前記ワイヤレス通信デバイス内の２次内部無線のステータスに基づいて、制御信号を発生させることと
を含む方法。
【請求項１１】
前記周波数応答を確立することは、
ストップ帯域内の周波数を有している所望でない信号を、パス帯域内の周波数を有している所望の信号より多く減衰させることと、
第１の中央周波数においてパス帯域の中心を有している第１の周波数応答と、第２の中央周波数においてパス帯域の中心を有している第２の周波数応答とのうちから周波数応答を選択することと
を含む、請求項１０記載の方法。
【請求項１２】
前記第１の周波数応答は、第１の帯域幅を有し、前記第２の周波数応答は、第２の帯域幅を有する、請求項１１記載の方法。
【請求項１３】
前記調整可能フィルタは、前記制御信号に応答して、複数の領域周波数応答のうちから周波数応答を選択し、
前記複数の領域周波数応答は、
複数のチャネル帯域の第１の帯域グループを含む第１の領域パス帯域を有している第１の領域周波数応答と、
複数のチャネル帯域の第２の帯域グループを含む第２の領域パス帯域を有している第２の領域周波数応答と
を含み、前記第１の帯域グループは、前記第２の帯域グループに含まれていない少なくとも１つのチャネル帯域を含む、請求項１２記載の方法。
【請求項１４】
前記複数のチャネル帯域は、超広帯域（ＵＷＢ）通信標準規格によって規定されている、請求項１３記載の方法。
【請求項１５】
前記調整可能フィルタは、前記制御信号にさらに応答して、少なくとも１つの割り当てられたチャネル帯域を示している割り当てられた送信コードに基づいて、周波数応答を選択する、請求項１３記載の方法。
【請求項１６】
前記２次内部無線のステータスは、
オン／オフステータス、
送信ステータス、
受信ステータス、
送信周波数ステータス、
受信周波数ステータス、
変調ステータス、および、
信号電力ステータス
のうちの１つを含む、請求項１０記載の方法。
【請求項１７】
前記調整可能フィルタは、
調整可能受信帯域フィルタ、または、
調整可能受信帯域フィルタ
のうちの１つを含む、請求項１０記載の方法。
【請求項１８】
コンピュータにより実行されるときに、前記コンピュータにステップを実施させる命令を含むコンピュータ読取可能記憶媒体において、
前記ステップは、
制御信号で、ワイヤレス通信デバイス中の調整可能フィルタの周波数応答を確立することと、
制御装置で、前記ワイヤレス通信デバイス内の２次内部無線のステータスに基づいて、制御信号を発生させることと
を含むコンピュータ読取可能記憶媒体。
【請求項１９】
前記周波数応答を確立することは、
ストップ帯域内の周波数を有している所望でない信号を、パス帯域内の周波数を有している所望の信号より多く減衰させることと、
第１の中央周波数においてパス帯域の中心を有している第１の周波数応答と、第２の中央周波数においてパス帯域の中心を有している第２の周波数応答とのうちから周波数応答を選択することと
を含む、請求項１８記載のコンピュータ読取可能記憶媒体。
【請求項２０】
前記第１の周波数応答は、第１の帯域幅を有し、前記第２の周波数応答は、第２の帯域幅を有する、請求項１９記載のコンピュータ読取可能記憶媒体。
【請求項２１】
前記調整可能フィルタは、前記制御信号に応答して、複数の領域周波数応答のうちから周波数応答を選択し、
前記複数の領域周波数応答は、
複数のチャネル帯域の第１の帯域グループを含む第１の領域パス帯域を有している第１の領域周波数応答と、
複数のチャネル帯域の第２の帯域グループを含む第２の領域パス帯域を有している第２の領域周波数応答と
を含み、前記第１の帯域グループは、前記第２の帯域グループに含まれていない少なくとも１つのチャネル帯域を含む、請求項２０記載のコンピュータ読取可能記憶媒体。
【請求項２２】
前記複数のチャネル帯域は、超広帯域（ＵＷＢ）通信標準規格によって規定されている、請求項２１記載のコンピュータ読取可能記憶媒体。
【請求項２３】
前記調整可能フィルタは、前記制御信号にさらに応答して、少なくとも１つの割り当てられたチャネル帯域を示している割り当てられた送信コードに基づいて、周波数応答を選択する、請求項２１記載のコンピュータ読取可能記憶媒体。
【請求項２４】
前記２次内部無線のステータスは、
オン／オフステータス、
送信ステータス、
受信ステータス、
送信周波数ステータス、
受信周波数ステータス、
変調ステータス、および、
信号電力ステータス
のうちの１つを含む、請求項１８記載のコンピュータ読取可能記憶媒体。
【請求項２５】
前記調整可能フィルタは、
調整可能受信帯域フィルタ、または、
調整可能受信帯域フィルタ
のうちの１つを含む、請求項１８記載のコンピュータ読取可能記憶媒体。
【請求項２６】
ワイヤレス通信デバイス手段において、
制御信号に応答して、調整可能フィルタの周波数応答を確立する調整可能フィルタ手段と、
前記ワイヤレス通信デバイス内の２次内部無線のステータスに基づいて、前記制御信号を発生させるように構成されている制御装置手段と
を具備するワイヤレス通信デバイス手段。
【請求項２７】
前記周波数応答は、ストップ帯域内の周波数を有している所望でない信号を、パス帯域内の周波数を有している所望の信号より多く減衰させるためのパス帯域およびストップ帯域を含み、
前記調整可能フィルタ手段は、前記制御信号に応答して、第１の中央周波数においてパス帯域の中心を有している第１の周波数応答と、第２の中央周波数においてパス帯域の中心を有している第２の周波数応答とのうちから周波数応答を選択する、請求項２６記載のワイヤレス通信デバイス手段。
【請求項２８】
前記第１の周波数応答は、第１の帯域幅を有し、前記第２の周波数応答は、第２の帯域幅を有する、請求項２７記載のワイヤレス通信デバイス手段。
【請求項２９】
前記調整可能フィルタ手段は、前記制御信号に応答して、複数の領域周波数応答のうちから周波数応答を選択し、
前記複数の領域周波数応答は、
複数のチャネル帯域の第１の帯域グループを含む第１の領域パス帯域を有している第１の領域周波数応答と、
複数のチャネル帯域の第２の帯域グループを含む第２の領域パス帯域を有している第２の領域周波数応答と
を含み、前記第１の帯域グループは、前記第２の帯域グループに含まれていない少なくとも１つのチャネル帯域を含む、請求項２８記載のワイヤレス通信デバイス手段。
【請求項３０】
前記複数のチャネル帯域は、超広帯域（ＵＷＢ）通信標準規格によって規定されている、請求項２９記載のワイヤレス通信デバイス手段。
【請求項３１】
前記調整可能フィルタ手段は、前記制御信号にさらに応答して、少なくとも１つの割り当てられたチャネル帯域を示している割り当てられた送信コードに基づいて、周波数応答を選択する、請求項３０記載のワイヤレス通信デバイス手段。
【請求項３２】
前記２次内部無線のステータスは、
オン／オフステータス、
送信ステータス、
受信ステータス、
送信周波数ステータス、
受信周波数ステータス、
変調ステータス、および、
信号電力ステータス
のうちの１つを含む、請求項２６記載のワイヤレス通信デバイス手段。
【請求項３３】
前記調整可能フィルタ手段は、前記制御信号にさらに応答して、検出された干渉に基づいて周波数応答を選択する、請求項２６記載のワイヤレス通信デバイス手段。
【請求項３４】
前記調整可能フィルタは、
調整可能受信帯域フィルタ、または、
調整可能受信帯域フィルタ
のうちの１つを含む、請求項２６記載のワイヤレス通信デバイス手段。